(57)【要約】【課題】予め記憶されている設計条件ファイル群の中から、プリント基板の設計に好適な設計条件ファイルを簡便に選定することができるようにする。【解決手段】本発明のプリント基板設計支援装置においては、入力部１６は記憶部１８により記憶されている複数の設計条件ファイルの中から、いずれかの設計条件ファイルを抽出するための抽出情報を入力し、設計条件ファイル識別情報検索部３３は、抽出情報と設計条件ファイル識別情報とが関連付けられて登録されている検索テーブルを参照して、抽出情報に関連付けられた設計条件ファイル識別情報を検索し、設計条件ファイル抽出部３４は複数の設計条件ファイルの中から、設計条件ファイル識別情報により識別される設計条件ファイルを抽出し、基板情報生成部３５はプリント基板上の回路設計に関する回路情報と設計条件ファイルとに基づいてプリント基板の基板情報を生成する。【選択図】  図２
2009157491.tif 000002
【特許請求の範囲】
【請求項１】
プリント基板上でレイアウト設計する際に用いられる複数の設計条件ファイルを記憶する記憶手段と、
前記記憶手段により記憶されている前記複数の設計条件ファイルの中から、いずれかの設計条件ファイルを抽出するために用いられる抽出情報を入力する入力手段と、
前記記憶手段により予め記憶されている、前記抽出情報と設計条件ファイルを識別する設計条件ファイル識別情報とが関連付けられて登録されている検索テーブルを参照して、前記入力手段により入力された前記抽出情報に関連付けられている前記設計条件ファイル識別情報を検索する検索手段と、
前記検索手段により検索された検索結果に従い、前記記憶手段により記憶されている前記複数の設計条件ファイルの中から、前記検索手段により検索された前記設計条件ファイル識別情報により識別される設計条件ファイルを抽出する抽出手段と、
予め生成されている前記プリント基板上の回路設計に関する回路情報と、前記抽出手段により抽出された前記設計条件ファイルとに基づいて、前記プリント基板の設計に関する基板情報を生成する生成手段とを備えることを特徴とするプリント基板設計支援装置。
【請求項２】
前記抽出情報には、少なくとも、基板メーカ名に関する情報、設計仕様に関する情報、プリント基板の層数に関する情報が含まれることを特徴とする請求項１に記載のプリント基板設計装置。
【請求項３】
前記設計条件ファイル識別情報は、前記設定条件ファイルを識別する識別名称に関する情報であることを特徴とする請求項１に記載のプリント基板設計支援装置。
【請求項４】
前記生成手段により生成された前記基板情報を出力する出力手段とをさらに備えることを特徴とする請求項１に記載のプリント基板設計支援装置。
【請求項５】
プリント基板上でレイアウト設計する際に用いられる複数の設計条件ファイルを記憶する記憶ステップと、
前記記憶ステップの処理により記憶されている前記複数の設計条件ファイルの中から、いずれかの設計条件ファイルを抽出するために用いられる抽出情報を入力する入力ステップと、
前記記憶ステップの処理により予め記憶されている、前記抽出情報と設計条件ファイルを識別する設計条件ファイル識別情報とが関連付けられて登録されている検索テーブルを参照して、前記入力ステップの処理により入力された前記抽出情報に関連付けられている前記設計条件ファイル識別情報を検索する検索ステップと、
前記検索ステップの処理により検索された検索結果に従い、前記記憶ステップの処理により記憶されている前記複数の設計条件ファイルの中から、前記検索ステップの処理により検索された前記設計条件ファイル識別情報により識別される設計条件ファイルを抽出する抽出ステップと、
予め生成されている前記プリント基板上の回路設計に関する回路情報と、前記抽出ステップの処理により抽出された前記設計条件ファイルとに基づいて、前記プリント基板の設計に関する基板情報を生成する生成ステップとを含むことを特徴とするプリント基板設計支援装置のプリント基板設計支援方法。
【請求項６】
プリント基板上でレイアウト設計する際に用いられる複数の設計条件ファイルを記憶する記憶ステップと、
前記記憶ステップの処理により記憶されている前記複数の設計条件ファイルの中から、いずれかの設計条件ファイルを抽出するために用いられる抽出情報を入力する入力ステップと、
前記記憶ステップの処理により予め記憶されている、前記抽出情報と設計条件ファイルを識別する設計条件ファイル識別情報とが関連付けられて登録されている検索テーブルを参照して、前記入力ステップの処理により入力された前記抽出情報に関連付けられている前記設計条件ファイル識別情報を検索する検索ステップと、
前記検索ステップの処理により検索された検索結果に従い、前記記憶ステップの処理により記憶されている前記複数の設計条件ファイルの中から、前記検索ステップの処理により検索された前記設計条件ファイル識別情報により識別される設計条件ファイルを抽出する抽出ステップと、
予め生成されている前記プリント基板上の回路設計に関する回路情報と、前記抽出ステップの処理により抽出された前記設計条件ファイルとに基づいて、前記プリント基板の設計に関する基板情報を生成する生成ステップとをコンピュータに実行させることを特徴とするプリント基板設計支援プログラム。
【発明の詳細な説明】
【技術分野】
【０００１】
本発明はプリント基板設計支援装置およびそのプリント基板設計支援方法、並びにプリント基板設計支援プログラムに係り、特に、プリント基板を設計する際に、予め記憶されている設計条件ファイルを検索することができるようにしたプリント基板設計支援装置およびそのプリント基板設計支援方法、並びにプリント基板設計支援プログラムに関する。
【背景技術】
【０００２】
最近、プリント基板上に電子回路を構成するための回路図設計およびレイアウト設計に、コンピュータを利用したプリント基板設計ＣＡＤ（Computer Aided Design）システムが用いられている。これにより、設計者は、従来に比べて、プリント基板上に配設される電子回路の回路図およびそのレイアウトを容易に設計することが可能となる。
【０００３】
なお、プリント基板の回路設計を支援する技術として、例えば現在のインフラ情報を含めて製品を製作することが可能となる技術が知られている（例えば特許文献１参照）。
【０００４】
特許文献１に提案されている技術によれば、設計資産として保存されているプリント基板回路設計情報を、顧客の選択により有償で段階的に開示することができ、その開示の際、回路を現在実現するために必要なインフラ情報を付加することができる。
【特許文献１】特開２００３−１６７９３０号公報
【発明の開示】
【発明が解決しようとする課題】
【０００５】
プリント基板の設計者が、プリント基板設計ＣＡＤシステムを用いてレイアウト設計を行う場合、予め記憶されている複数の設計条件ファイル群の中から、設計するプリント基板に最適な設計条件ファイルを検索した上で選定する必要がある。しかしながら、設計するプリント基板に最適な設計条件ファイルを複数の設計条件ファイル群の中から検索して選定する場合、設計者は、設計条件ファイルの名称を入力しなければない。仮に設計者がそのファイルの名称を忘れてしまったような場合には、設計するプリント基板に最適な設計条件ファイルを検索することさえできないという課題があった。
【０００６】
本発明は、このような状況に鑑みてなされたものであり、予め記憶されている設計条件ファイル群の中から、プリント基板の設計に好適な設計条件ファイルを簡便に選定することができるプリント基板設計支援装置およびそのプリント基板設計支援方法、並びにプリント基板設計支援プログラムを提供することを目的とする。
【課題を解決するための手段】
【０００７】
本発明のプリント基板設計支援装置は、上述した課題を解決するために、プリント基板上でレイアウト設計する際に用いられる複数の設計条件ファイルを記憶する記憶手段と、記憶手段により記憶されている複数の設計条件ファイルの中から、いずれかの設計条件ファイルを抽出するために用いられる抽出情報を入力する入力手段と、記憶手段により予め記憶されている、抽出情報と設計条件ファイルを識別する設計条件ファイル識別情報とが関連付けられて登録されている検索テーブルを参照して、入力手段により入力された抽出情報に関連付けられている設計条件ファイル識別情報を検索する検索手段と、検索手段により検索された検索結果に従い、記憶手段により記憶されている複数の設計条件ファイルの中から、検索手段により検索された設計条件ファイル識別情報により識別される設計条件ファイルを抽出する抽出手段と、予め生成されているプリント基板上の回路設計に関する回路情報と、抽出手段により抽出された設計条件ファイルとに基づいて、プリント基板の設計に関する基板情報を生成する生成手段とを備えることを特徴とする。
【０００８】
本発明のプリント基板設計支援方法は、上述した課題を解決するために、プリント基板上でレイアウト設計する際に用いられる複数の設計条件ファイルを記憶する記憶ステップと、記憶ステップの処理により記憶されている複数の設計条件ファイルの中から、いずれかの設計条件ファイルを抽出するために用いられる抽出情報を入力する入力ステップと、記憶ステップの処理により予め記憶されている、抽出情報と設計条件ファイルを識別する設計条件ファイル識別情報とが関連付けられて登録されている検索テーブルを参照して、入力ステップの処理により入力された抽出情報に関連付けられている設計条件ファイル識別情報を検索する検索ステップと、検索ステップの処理により検索された検索結果に従い、記憶ステップの処理により記憶されている複数の設計条件ファイルの中から、検索ステップの処理により検索された設計条件ファイル識別情報により識別される設計条件ファイルを抽出する抽出ステップと、予め生成されているプリント基板上の回路設計に関する回路情報と、抽出ステップの処理により抽出された設計条件ファイルとに基づいて、プリント基板の設計に関する基板情報を生成する生成ステップとを含むことを特徴とする。
【０００９】
本発明のプリント基板支援プログラムは、上述した課題を解決するために、プリント基板上でレイアウト設計する際に用いられる複数の設計条件ファイルを記憶する記憶ステップと、記憶ステップの処理により記憶されている複数の設計条件ファイルの中から、いずれかの設計条件ファイルを抽出するために用いられる抽出情報を入力する入力ステップと、記憶ステップの処理により予め記憶されている、抽出情報と設計条件ファイルを識別する設計条件ファイル識別情報とが関連付けられて登録されている検索テーブルを参照して、入力ステップの処理により入力された抽出情報に関連付けられている設計条件ファイル識別情報を検索する検索ステップと、検索ステップの処理により検索された検索結果に従い、記憶ステップの処理により記憶されている複数の設計条件ファイルの中から、検索ステップの処理により検索された設計条件ファイル識別情報により識別される設計条件ファイルを抽出する抽出ステップと、予め生成されているプリント基板上の回路設計に関する回路情報と、抽出ステップの処理により抽出された設計条件ファイルとに基づいて、プリント基板の設計に関する基板情報を生成する生成ステップとをコンピュータに実行させることを特徴とする。
【発明の効果】
【００１０】
本発明によれば、予め記憶されている設計条件ファイル群の中から、プリント基板の設計に好適な設計条件ファイルを簡便に選定することができる。
【発明を実施するための最良の形態】
【００１１】
以下、本発明の実施の形態について、図面を参照しながら説明する。
【００１２】
図１は、本発明に係るプリント基板設計支援装置１の内部の構成を表している。
【００１３】
図１に示されるように、ＣＰＵ１１は、ＲＯＭ１２に記憶されているプログラム、または記憶部１８からＲＡＭ１３にロードされたプログラムに従って各種の処理を実行する。ＲＡＭ１３にはまた、ＣＰＵ１１が各種の処理を実行する上において必要なデータなども適宜記憶される。
【００１４】
ＣＰＵ１１、ＲＯＭ１２、およびＲＡＭ１３には、バス１４を介して相互に接続されている。このバス１４にはまた、入出力インタフェース１５が接続される。
【００１５】
入出力インタフェース１５には、キーボード、マウスなどによりなる入力部１６、ＣＲＴ(Cathode Ray Tube)、ＬＣＤ(Liquid Crystal Display)などよりなるディスプレイ、並びにスピーカなどよりなる出力部１７、ハードディスクなどより構成される記憶部１８、モデム、ターミナルアダプタ、およびネットワークインタフェース（いずれも図示せず）などより構成される通信部１９が接続される。通信部１９は、図示せぬネットワークを介して図示せぬサーバなどとの間で通信処理を行う。
【００１６】
入出力インタフェース１５には、必要に応じてドライブ２０が接続され、磁気ディスク２１（フロッピディスクを含む）、光ディスク２２（ＣＤ−ＲＯＭ(Compact Disk-Read Only Memory）、ＤＶＤ(Digital Versatile Disk)を含む)、光磁気ディスク２３(ＭＤ(Mini-Disk)を含む)、あるいは半導体メモリ２４などが適宜装着され、それから読み出しコンピュータプログラムが、必要に応じて記憶部１８にインストールされる。
【００１７】
図２は、図１のプリント基板設計支援装置１のＣＰＵ１１が実行することができる機能的な構成を表している。
【００１８】
回路情報生成部３１は、回路図ＣＡＤプログラム（ソフトウェア）を実行し、設計者により入力部１６が操作されることで入力された指示に従い、プリント基板上に配設される電子回路を形成するための回路情報を生成する。この回路情報には、例えばプリント基板上に配設されるＩＣ（Integrated Circuit）ピンや抵抗ピンなどの位置に関する情報や、プリント基板上に配設される部品の接続関係に関する情報が含まれている。回路情報生成部３１は、生成された回路情報を基板情報生成部３５に供給する。
【００１９】
設定条件ファイル抽出情報取得部３２は、設計者により入力部１６が操作されることにより入力された、記憶部１８に予め記憶されている複数の設計条件ファイル群の中からいずれかの設計条件ファイルを抽出する際に用いられる設計条件ファイル抽出情報を取得し、取得された設計条件ファイル抽出情報を設計条件ファイル識別情報検索部３３に供給する。
【００２０】
設計条件ファイル識別情報検索部３３は、設計条件ファイル抽出情報取得部３２から供給された設計条件ファイル抽出情報を取得するとともに、記憶部１８により予め記憶されている、設計条件ファイル抽出情報と設計条件ファイルを識別する設計条件ファイル識別情報とが関連付けられて登録されている設計条件ファイル識別情報検索テーブル３６を参照して、取得された設計条件ファイル抽出情報に関連付けられている設計条件ファイル識別情報を検索する。設計条件ファイ識別情報検索部３３は、その検索結果を設計条件ファイル抽出部３４に供給する。
【００２１】
設計条件ファイル抽出部３４は、設計条件ファイル識別情報検索部３３から供給された検索結果に従い、記憶部１８により記憶されている複数の設計条件ファイル群の中から、設計条件ファイル識別情報検索部３３により検索された設計条件ファイル識別情報により識別される設計条件ファイルを抽出し、抽出された設計条件ファイルを基板情報生成部３５に供給する。
【００２２】
基板情報生成部３５は、回路情報生成部３１から供給された回路情報（プリント基板上の回路設計に関する回路情報）を取得するとともに、設計条件ファイル抽出部３４から供給された設計条件ファイルを取得し、この回路情報と設計条件ファイルとに基づいて、プリント基板の設計に関する基板情報を生成し、生成された基板情報を出力部３５に供給する。
【００２３】
次に、図３のフローチャートを参照して、図２のプリント基板設計支援装置１における基板情報生成処理について説明する。この基板情報生成処理は、設計者により入力部１６が操作されることで基板情報生成処理を開始するとの指示がなされ、まず、回路図ＣＡＤプログラムが実行されることで、開始される。
【００２４】
ステップＳ１において、回路情報生成部３１は、回路図ＣＡＤプログラムを実行し、設計者により入力部１６が操作されることで入力された指示に従い、プリント基板上に配設される電子回路を形成するための回路情報を生成する。この回路情報には、例えばプリント基板上に配設されるＩＣ（Integrated Circuit）ピンや抵抗ピンなどの位置に関する情報や、プリント基板上に配設される部品の接続関係に関する情報が含まれている。回路情報生成部３１は、生成された回路情報を基板情報生成部３５に供給する。
【００２５】
ステップＳ２において、入力部１６は、設計者により入力部１６が操作されることで、記憶部１８により記憶されている複数の設計条件ファイル群の中から、いずれかの設計条件ファイルを抽出するために用いられる抽出情報を入力する。この抽出情報には、少なくとも、基板メーカ名（例えばＡメーカやＢメーカなど）、設計仕様（例えば高品質を意味するHi-Specや標準的な品質を意味するStd-Specなど）、プリント基板の層数（例えば６層や８層など）に関する情報が含まれている。
【００２６】
ステップＳ３において、設計条件ファイル抽出情報取得部３２は、設計者により入力部１６が操作されることにより入力された、記憶部１８に予め記憶されている複数の設計条件ファイル群の中からいずれかの設計条件ファイルを抽出する際に用いられる設計条件ファイル抽出情報を取得し、取得された設計条件ファイル抽出情報を設計条件ファイル識別情報検索部３３に供給する。
【００２７】
ステップＳ４において、設計条件ファイル識別情報検索部３３は、設計条件ファイル抽出情報取得部３２から供給された設計条件ファイル抽出情報を取得するとともに、記憶部１８により予め記憶されている、設計条件ファイル抽出情報と設計条件ファイルを識別する設計条件ファイル識別情報とが関連付けられて登録されている設計条件ファイル識別情報検索テーブル３６を読み出す。
【００２８】
図４は、記憶部１８に記憶されている設計条件ファイル識別情報検索テーブル３６の概念的な構成を表している。図４に示されるように、例えば「Ａメーカ  Hi-Spec  ８層」により示される設計条件ファイル抽出情報の場合、記憶部１８に記憶されている設計条件ファイルを識別する設計条件ファイル識別情報として例えば「設計条件Ａ８層」が関連付けられて登録されている。また、例えば「Ａメーカ  Std-Spec  ８層」により示される設計条件ファイル抽出情報の場合、記憶部１８に記憶されている設計条件ファイルを識別する設計条件ファイル識別情報として例えば「設計条件Ｂ８層」が関連付けられて登録されている。
【００２９】
さらに、例えば「Ｂメーカ  Hi-Spec  ８層」により示される設計条件ファイル抽出情報の場合、記憶部１８に記憶されている設計条件ファイルを識別する設計条件ファイル識別情報として例えば「設計条件Ｂ８層」が関連付けられて登録されている。この場合、結果的に、「Ａメーカ  Std-Spec  ８層」により示される設計条件ファイル抽出情報の場合と同一の設計条件ファイル識別情報と関連付けられている。これは、メーカごとに、プリント基板の製造時における品質（性能）の基準は異なることから、Ａメーカによっては標準的な品質のものがＢメーカによっては高品質のものに該当することがあることを示している。
【００３０】
図５は、記憶部１８に記憶されている設計条件ファイル識別情報検索テーブル３６の構成例を表している。図５に示されるように、設計条件ファイル識別情報検索テーブル３６には、「設計条件ファイル抽出情報」、「設計条件ファイル識別情報」、および「設計条件ファイル」が関連付けられて登録されている。なお、図５の設計条件ファイル識別情報検索テーブル３６の場合、記憶部１８に記憶されている設計条件ファイルを識別する設計条件ファイル識別情報は設計条件ファイルのファイル名を示しているが、このような場合に限られず、設計条件ファイル識別情報は、記憶部１８に記憶されている設計条件ファイルを識別することができさえすればよい。
【００３１】
例えば図５の設計条件ファイル識別情報検索テーブル３６の第１行目の場合、「設計条件ファイル抽出情報」として「Ａメーカ  Hi-Spec  ８層」、「設計条件ファイル識別情報」として「設計条件Ａ８層」、および「設計条件ファイル」として「設計条件ファイル１」が関連付けられて登録されている。また、例えば図５の設計条件ファイル識別情報検索テーブル３６の第２行目の場合、「設計条件ファイル抽出情報」として「Ａメーカ  Std-Spec  ８層」、「設計条件ファイル識別情報」として「設計条件Ｂ８層」、および「設計条件ファイル」として「設計条件ファイル２」が関連付けられて登録されている。
【００３２】
３行目以降についても同様であり、その説明は繰り返しになるので省略する。
【００３３】
そして、ステップＳ５において、設計条件ファイル識別情報検索部３３は、読み出された設計条件ファイル識別情報検索テーブル３６を参照して、取得された設計条件ファイル抽出情報に関連付けられている設計条件ファイル識別情報を検索する。
【００３４】
具体的には、設計条件ファイル識別情報検索部３３は、設計条件ファイル抽出情報として「Ａメーカ  Std-Spec  ８層」が取得されると、設計条件ファイル識別情報検索テーブル３６を参照して、取得された設計条件ファイル抽出情報（「Ａメーカ  Std-Spec  ８層」）に関連付けられている設計条件ファイル識別情報として「設計条件Ａ８層」を検索する。
【００３５】
ステップＳ６において、設計条件ファイル識別情報検索部３３は、設計条件ファイル識別情報検索テーブル３６を参照して設計条件ファイル識別情報を検索した結果、設計条件ファイル識別情報が検索されたか否かを判定する。ステップＳ６において設計条件ファイル識別情報検索部３３が、設計条件ファイル識別情報が検索されていないと判定した場合（設計者により入力された設計条件ファイル抽出情報によっては、設計条件ファイル識別情報が検索できなかったと判定された場合）、設計条件ファイル識別情報検索部３３は、出力部１７にエラーメッセージを出力させる。例えば「設計条件ファイルが抽出できません。」などのエラーメッセージが出力部１７に出力される。その後、処理はステップＳ２に戻り、ステップＳ２以降の処理が繰り返し実行される。
【００３６】
一方、ステップＳ６において設計条件ファイル識別情報検索部３３が、設計条件ファイル識別情報が検索されたと判定した場合、設計条件ファイル識別情報検索部３３は、その検索結果を設計条件ファイル抽出部３４に供給する。ステップＳ８において、設計条件ファイル抽出部３４は、設計条件ファイル識別情報検索部３３から供給された検索結果に従い、記憶部１８により記憶されている複数の設計条件ファイル群（設計条件ファイルライブラリ）の中から、設計条件ファイル識別情報検索部３３により検索された設計条件ファイル識別情報により識別される設計条件ファイルを抽出する。
【００３７】
具体的には、設計条件ファイル抽出情報として例えば「Ａメーカ  Std-Spec  ８層」が設計条件ファイル抽出情報取得部３２にて取得された後、設計条件ファイル識別情報検索テーブル３６を参照して、取得された設計条件ファイル抽出情報（「Ａメーカ  Std-Spec  ８層」）に関連付けられている設計条件ファイル識別情報として「設計条件Ａ８層」が検索された場合、設計条件ファイル抽出部３４は、検索結果に従い、記憶部１８により記憶されている複数の設計条件ファイル群の中から、設計条件ファイル識別情報検索部３３により検索された設計条件ファイル識別情報（「Ａメーカ  Std-Spec  ８層」）により識別される設計条件ファイル（設計条件ファイル１）を抽出する。
【００３８】
なお、この設計ファイルには、例えばプリント基板にて電子回路を形成する際の配線のライン幅に関する情報や、ギャップ値に関する情報、多層構造にする際のドリル径に関する情報などのレイアウト設計に必要な種々の情報が含まれている。
【００３９】
設計条件ファイル抽出部３４は、抽出された設計条件ファイルを基板情報生成部３５に供給する。
【００４０】
ステップＳ９において、基板情報生成部３５は、回路情報生成部３１から供給された回路情報（プリント基板上の回路設計に関する回路情報）を取得するとともに、設計条件ファイル抽出部３４から供給された設計条件ファイルを取得し、この回路情報と設計条件ファイルとに基づいて、プリント基板の設計に関する基板情報を生成し、生成された基板情報を出力部３５に供給する。ステップＳ１０において、出力部３５は、基板情報生成部３５から供給された基板情報を取得し、取得された基板情報を出力する。
【００４１】
本発明の実施形態においては、プリント基板上でレイアウト設計する際に用いられる複数の設計条件ファイルを記憶し、記憶部１８に記憶されている複数の設計条件ファイルの中から、いずれかの設計条件ファイルを抽出するために用いられる抽出情報を入力し、記憶部１８予め記憶されている、抽出情報と設計条件ファイルを識別する設計条件ファイル識別情報とが関連付けられて登録されている検索テーブルを参照して、入力された抽出情報に関連付けられている設計条件ファイル識別情報を検索し、検索された検索結果に従い、記憶部１８により記憶されている複数の設計条件ファイルの中から、検索された設計条件ファイル識別情報により識別される設計条件ファイルを抽出し、予め生成されている前記プリント基板上の回路設計に関する回路情報と、抽出された設計条件ファイルとに基づいて、プリント基板の設計に関する基板情報を生成し、生成された基板情報を出力することができる。
【００４２】
これにより、設計者は設計条件ファイル抽出情報を入力するだけで、予め記憶されている設計条件ファイル群の中から、プリント基板の設計に好適な設計条件ファイルを簡便に選定することができる。その結果、従来、プリント基板の設計者が、プリント基板設計ＣＡＤシステムを用いてレイアウト設計を行う場合、予め記憶されている複数の設計条件ファイル群の中から、設計するプリント基板に最適な設計条件ファイルを検索した上で選定する必要があることから、設計者は設計条件ファイルを特定するための設計条件ファイルの名称などを入力する必要があったが、本発明においては、設計者は設計条件ファイル抽出情報を入力するだけで目的となる設計条件ファイルを抽出することができ、設計するプリント基板に最適な設計条件ファイルを検索した上で選定する際の手間と時間を省くことができ、仮に設計者がそのファイルの名称を忘れてしまったような場合であっても、設計条件ファイル抽出情報を入力することさえすれば、設計するプリント基板に最適な設計条件ファイルを検索することさえできないという状況を回避することができ、プリント基板上に電子回路を形成する際の基板情報を生成することができる。
【００４３】
従って、プリント基板上に電子回路を形成する場合にプリント基板設計ＣＡＤシステムを用いて基板情報を生成する際の利便性を向上させることができる。
【００４４】
なお、本発明の実施形態においては、記憶部１８に記憶されている複数の設計条件ファイル群の中から最適な設計条件ファイルを抽出する前に、回路情報を生成しておき、生成された回路情報と設計条件ファイルを用いて基板情報を生成するようにしたが、このような場合に限られず、まず設計条件ファイルを抽出しておき、その後に回路情報を生成して、生成された回路情報と設計条件ファイルを用いて基板情報を生成するようにしてもよい。
【００４５】
なお、本発明の実施形態において説明した一連の処理は、ソフトウェアにより実行させることもできるが、ハードウェアにより実行させることもできる。
【００４６】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００４７】
【図１】本発明のプリント基板設計支援装置の内部の構成を示すブロック図。
【図２】図１のプリント基板設計支援装置のＣＰＵが実行することができる機能的な構成を示すブロック図。
【図３】図２のプリント基板設計支援装置における基板情報生成処理を説明するフローチャート。
【図４】記憶部に記憶されている設計条件ファイル識別情報検索テーブルの概念的な構成を示す図。
【図５】記憶部に記憶されている設計条件ファイル識別情報検索テーブルの構成例を示す図。
【符号の説明】
【００４８】
１…プリント基板設計支援装置、１１…ＣＰＵ、１２…ＲＯＭ、１３…ＲＡＭ、１４…バス、１５…入出力インタフェース、１６…入力部、１７…出力部、１８…記憶部、１９…通信部、２０…ドライブ、２１…磁気ディスク、２２…光ディスク、２３…光磁気ディスク、２４…半導体メモリ、３１…回路情報生成部、３２…設定条件ファイル抽出情報取得部、３３…設計条件ファイル識別情報検索部、３４…設計条件ファイル抽出部、３５…基板情報生成部、３６…設定条件ファイル識別情報検索テーブル。
【図１】
2009157491.tif 000003
【図２】
2009157491.tif 000004
【図３】
2009157491.tif 000005
【図４】
2009157491.tif 000006
【図５】
2009157491.tif 000007